(57)【要約】  本発明の実施例は、上り伝送レートを高めることができる、データを伝送する方法を提供する。前記方法は、ネットワーク装置により設定された少なくとも２つのＤＭＲＳポート群を受信することと、前記少なくとも２つの復調参照信号（ＤＭＲＳ）ポート群のうちの各ＤＭＲＳポート群に対応するターゲット参照信号リソースを確定することと、前記ターゲット参照信号リソースに基づいて、前記ターゲット参照信号リソースに対応するＤＭＲＳポート群におけるデータ伝送に用いられる伝送パラメータを確定することと、前記各ＤＭＲＳポート群におけるデータ伝送に用いられる伝送パラメータを確定してから、前記少なくとも２つのＤＭＲＳポート群においてデータ伝送を行うこととを含む。
2020533826.tif 000002
【特許請求の範囲】
【請求項１】
データを伝送する方法であって、
ネットワーク装置により設定された少なくとも２つの復調参照信号（ＤＭＲＳ）ポート群を受信することと、
前記少なくとも２つの復調参照信号（ＤＭＲＳ）ポート群のうちの各ＤＭＲＳポート群に対応するターゲット参照信号リソースを確定することと、
前記ターゲット参照信号リソースに基づいて、前記ターゲット参照信号リソースに対応するＤＭＲＳポート群におけるデータ伝送に用いられる伝送パラメータを確定することと、
前記各ＤＭＲＳポート群におけるデータ伝送に用いられる伝送パラメータを確定してから、前記少なくとも２つのＤＭＲＳポート群においてデータ伝送を行うこととを含むことを特徴とする、前記方法。
【請求項２】
ネットワーク装置により設定された少なくとも２つのＤＭＲＳポート群を受信することは、
前記ネットワーク装置により上位層シグナリングを介して設定された前記少なくとも２つのＤＭＲＳポート群を受信すること、又は
前記ネットワーク装置により下り制御情報（ＤＣＩ）を介して指示された複数のＤＭＲＳポート群のうちの前記少なくとも２つのＤＭＲＳポート群を受信することを含み、前記複数のＤＭＲＳポート群は、前記ネットワーク装置により上位層シグナリングを介して予め設定されたＤＭＲＳポート群であることを特徴とする
請求項１に記載の方法。
【請求項３】
ネットワーク装置により設定された少なくとも２つのＤＭＲＳポート群を受信することは、
前記ネットワーク装置により上位層シグナリング又はＤＣＩを介して指示された前記少なくとも２つのＤＭＲＳポート群の数を受信することと、
前記少なくとも２つのＤＭＲＳポート群の数及び第１プリセット条件に基づいて、前記少なくとも２つのＤＭＲＳポート群のうちの各ＤＭＲＳポート群に含まれるＤＭＲＳポートを確定することとを含み、ここで、前記第１プリセット条件は、前記ネットワーク装置と端末装置とによりあらかじめ約定された現在の伝送層数（Ｒａｎｋ）における各ＤＭＲＳポート群に含まれるＤＭＲＳポートであることを特徴とする
請求項１に記載の方法。
【請求項４】
前記少なくとも２つのＤＭＲＳポート群のうちの各ＤＭＲＳポート群に対応するターゲット参照信号リソースを確定することは、
前記ネットワーク装置から前記少なくとも２つのＤＭＲＳポート群におけるデータ伝送をスケジューリングするためのＤＣＩによって搬送されたリソース指示情報を受信することであって、前記リソース指示情報が、前記各ＤＭＲＳポート群に対応する前記ターゲット参照信号リソースを示すことに用いられることと、
前記リソース指示情報に基づいて、前記各ＤＭＲＳポート群に対応する前記ターゲット参照信号リソースを確定することとを含むことを特徴とする
請求項１から３のうちいずれか一項に記載の方法。
【請求項５】
前記少なくとも２つのＤＭＲＳポート群のうちの各ＤＭＲＳポート群に対応するターゲット参照信号リソースを確定することは、
前記ネットワーク装置が上位層シグナリングにより前記少なくとも２つのＤＭＲＳポート群のうちの各ＤＭＲＳポート群のために設定したターゲット参照信号リソースを受信することを含むことを特徴とする
請求項１から３のうちいずれか一項に記載の方法。
【請求項６】
前記ターゲット参照信号リソースに基づいて、前記ターゲット参照信号リソースに対応するＤＭＲＳポート群におけるデータ伝送に用いられる伝送パラメータを確定することは、
前記ネットワーク装置からプリコーディング行列指示情報を取得することと、
前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定することとを含むことを特徴とする
請求項１から５のうちいずれか一項に記載の方法。
【請求項７】
前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースにおける参照信号の送信又は受信に用いられるビームを、前記ターゲット参照信号リソースに対応するＤＭＲＳポート群におけるデータ伝送に用いられるビームとして確定することを含むことを特徴とする
請求項１から６のうちいずれか一項に記載の方法。
【請求項８】
前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースに対応する電力制御パラメータに基づいて、前記ターゲット参照信号リソースに対応するＤＭＲＳポート群におけるデータ伝送に用いられる送信電力を確定することを含むことを特徴とする
請求項１から７のうちいずれか一項に記載の方法。
【請求項９】
前記ターゲット参照信号リソースに対応する電力制御パラメータに基づいて、前記ターゲット参照信号リソースに対応するＤＭＲＳポート群におけるデータ伝送に用いられる送信電力を確定することは、
第１電力制御パラメータに基づいて、前記ターゲット参照信号リソースに対応するＤＭＲＳポート群におけるデータ伝送に用いられる送信電力を確定することを含み、前記第１電力制御パラメータは、前記ターゲット参照信号リソースにおける参照信号の伝送に用いられる送信電力を算出するための電力制御パラメータであることを特徴とする
請求項８に記載の方法。
【請求項１０】
前記ターゲット参照信号リソースに対応する電力制御パラメータに基づいて、前記ターゲット参照信号リソースに対応するＤＭＲＳポート群におけるデータ伝送に用いられる送信電力を確定することは、
第２電力制御パラメータに基づいて、前記ターゲット参照信号リソースに対応するＤＭＲＳポート群におけるデータ伝送に用いられる送信電力を確定することを含み、前記第２電力制御パラメータは、前記ネットワーク装置が事前設定した、前記ターゲット参照信号リソース又は前記ターゲット参照信号リソースの指示情報に対応する電力制御パラメータであることを特徴とする
請求項８に記載の方法。
【請求項１１】
前記電力制御パラメータは、開ループ電力制御パラメータ、閉ループ電力制御パラメータ及び経路損失推定値のうちの少なくとも１つを含むことを特徴とする
請求項８から１０のうちいずれか一項に記載の方法。
【請求項１２】
前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定することを含むことを特徴とする
請求項１から１１のうちいずれか一項に記載の方法。
【請求項１３】
前記ターゲット参照信号リソースはサウンディング参照信号（ＳＲＳ）リソース又はチャネル状態情報参照信号（ＣＳＩ−ＲＳ）リソースであることを特徴とする
請求項１から１２のうちいずれか一項に記載の方法。
【請求項１４】
端末装置であって、
ネットワーク装置により設定された少なくとも２つの復調参照信号（ＤＭＲＳ）ポート群を受信するように構成される受信ユニットと、
前記少なくとも２つのＤＭＲＳポート群のうちの各ＤＭＲＳポート群に対応するターゲット参照信号リソースを確定するように構成され、
前記ターゲット参照信号リソースに基づいて、前記ターゲット参照信号リソースに対応するＤＭＲＳポート群におけるデータ伝送に用いられる伝送パラメータを確定するようにさらに構成される処理ユニットと、
前記処理ユニットが前記各ＤＭＲＳポート群におけるデータ伝送に用いられる伝送パラメータを確定してから、前記少なくとも２つのＤＭＲＳポート群においてデータ伝送を行うように構成される送信ユニットとを備えることを特徴とする、前記端末装置。
【請求項１５】
前記受信ユニットは、具体的には、
前記ネットワーク装置により上位層シグナリングを介して設定された前記少なくとも２つのＤＭＲＳポート群を受信し、又は
前記ネットワーク装置により下り制御情報（ＤＣＩ）を介して指示された複数のＤＭＲＳポート群のうちの前記少なくとも２つのＤＭＲＳポート群を受信するように構成され、前記複数のＤＭＲＳポート群は、前記ネットワーク装置により上位層シグナリングを介して予め設定されたＤＭＲＳポート群であることを特徴とする
請求項１４に記載の端末装置。
【請求項１６】
前記受信ユニットは、具体的には、
前記ネットワーク装置により上位層シグナリング又はＤＣＩを介して指示された前記少なくとも２つのＤＭＲＳポート群の数を受信し、
前記少なくとも２つのＤＭＲＳポート群の数及び第１プリセット条件に基づいて、前記少なくとも２つのＤＭＲＳポート群のうちの各ＤＭＲＳポート群に含まれるＤＭＲＳポートを確定するように構成され、ここで、前記第１プリセット条件は、前記ネットワーク装置と端末装置とによりあらかじめ約定された現在の伝送層数（Ｒａｎｋ）における各ＤＭＲＳポート群に含まれるＤＭＲＳポートであることを特徴とする
請求項１４に記載の端末装置。
【請求項１７】
前記処理ユニットは、具体的には、
前記ネットワーク装置から前記少なくとも２つのＤＭＲＳポート群におけるデータ伝送をスケジューリングするためのＤＣＩによって搬送されたリソース指示情報を受信し、前記リソース指示情報が、前記各ＤＭＲＳポート群に対応する前記ターゲット参照信号リソースを示すことに用いられ、
前記リソース指示情報に基づいて、前記各ＤＭＲＳポート群に対応する前記ターゲット参照信号リソースを確定するように構成されることを特徴とする
請求項１４から１６のうちいずれか一項に記載の端末装置。
【請求項１８】
前記処理ユニットは、具体的には、
前記ネットワーク装置が上位層シグナリングにより前記少なくとも２つのＤＭＲＳポート群のうちの各ＤＭＲＳポート群のために設定したターゲット参照信号リソースを受信するように構成されることを特徴とする
請求項１４から１６のうちいずれか一項に記載の端末装置。
【請求項１９】
前記処理ユニットは、具体的には、
前記ネットワーク装置からプリコーディング行列指示情報を取得し、
前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定するように構成されることを特徴とする
請求項１４から１８のうちいずれか一項に記載の端末装置。
【請求項２０】
前記処理ユニットは、具体的には、
前記ターゲット参照信号リソースにおける参照信号の送信又は受信に用いられるビームを、前記ターゲット参照信号リソースに対応するＤＭＲＳポート群におけるデータ伝送に用いられるビームとして確定するように構成されることを特徴とする
請求項１４から１９のうちいずれか一項に記載の端末装置。
【請求項２１】
前記処理ユニットは、具体的には、
前記ターゲット参照信号リソースに対応する電力制御パラメータに基づいて、前記ターゲット参照信号リソースに対応するＤＭＲＳポート群におけるデータ伝送に用いられる送信電力を確定するように構成されることを特徴とする
請求項１４から２０のうちいずれか一項に記載の端末装置。
【請求項２２】
前記処理ユニットは、具体的には、
第１電力制御パラメータに基づいて、前記ターゲット参照信号リソースに対応するＤＭＲＳポート群におけるデータ伝送に用いられる送信電力を確定するように構成され、前記第１電力制御パラメータは、前記ターゲット参照信号リソースにおける参照信号の伝送に用いられる送信電力を算出するための電力制御パラメータであることを特徴とする
請求項２１に記載の端末装置。
【請求項２３】
前記処理ユニットは、具体的には、
第２電力制御パラメータに基づいて、前記ターゲット参照信号リソースに対応するＤＭＲＳポート群におけるデータ伝送に用いられる送信電力を確定するように構成され、前記第２電力制御パラメータは、前記ネットワーク装置が事前設定した、前記ターゲット参照信号リソース又は前記ターゲット参照信号リソースの指示情報に対応する電力制御パラメータであることを特徴とする
請求項２１に記載の端末装置。
【請求項２４】
前記電力制御パラメータは、開ループ電力制御パラメータ、閉ループ電力制御パラメータ及び経路損失推定値のうちの少なくとも１つを含むことを特徴とする
請求項２１から２３のうちいずれか一項に記載の端末装置。
【請求項２５】
前記処理ユニットは、具体的には、
前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定するように構成されることを特徴とする
請求項１４から２４のうちいずれか一項に記載の端末装置。
【請求項２６】
前記ターゲット参照信号リソースはサウンディング参照信号（ＳＲＳ）リソース又はチャネル状態情報参照信号（ＣＳＩ−ＲＳ）リソースであることを特徴とする
請求項１４から２５のうちいずれか一項に記載の端末装置。
【発明の詳細な説明】
【技術分野】
【０００１】
本発明は通信分野に関し、より具体的には、データを伝送する方法及び端末装置に関する。
【背景技術】
【０００２】
新しい無線（Ｎｅｗ  Ｒａｄｉｏ：ＮＲ）システムにおいて、端末装置は、アンテナアレイパネル（Ｐａｎｅｌ）を通して上り伝送を行うことができる。各アンテナアレイパネルは、独立した無線周波数チャネルを備える。現在、端末装置が単一のアンテナアレイパネルを通して上り伝送を行うことができるが、単一のアンテナアレイパネルを通して上り伝送を行う時、伝送レートが低く、ますます高い伝送レートの要件を満たすことができない。
【発明の概要】
【発明が解決しようとする課題】
【０００３】
本発明の実施例は、上り伝送レートを高めることができる、データを伝送する方法及び端末装置。
【課題を解決するための手段】
【０００４】
第１態様において、データを伝送する方法を提供し、前記方法は、
ネットワーク装置により設定された少なくとも２つの復調参照信号（ＤＭＲＳ）ポート群を受信することと、
前記少なくとも２つの復調参照信号（ＤＭＲＳ）ポート群のうちの各ＤＭＲＳポート群に対応するターゲット参照信号リソースを確定することと、
前記ターゲット参照信号リソースに基づいて、前記ターゲット参照信号リソースに対応するＤＭＲＳポート群におけるデータ伝送に用いられる伝送パラメータを確定することと、
前記各ＤＭＲＳポート群におけるデータ伝送に用いられる伝送パラメータを確定してから、前記少なくとも２つのＤＭＲＳポート群においてデータ伝送を行うこととを含む。
【０００５】
従って、本発明の実施例によるデータを伝送する方法において、ネットワーク装置は、端末装置のために少なくとも２つのＤＭＲＳポート群を設定し、端末装置は、各ＤＭＲＳポート群に対応するターゲット参照信号リソースを確定し、また、ターゲット参照信号リソースに基づいて対応するＤＭＲＳポート群におけるデータ伝送に用いられる伝送パラメータを確定することで、各ＤＭＲＳポート群におけるデータ伝送に用いられる伝送パラメータに基づいて、対応するＤＭＲＳポート群におけるデータを伝送することができ、更に、複数のアンテナアレイパネルによる上り伝送を実現させ、上り伝送レートを高めることができる。
【０００６】
任意選択的に、第１態様の一実現形態において、ネットワーク装置により設定された少なくとも２つの復調参照信号（ＤＭＲＳ）ポート群を受信することは、
前記ネットワーク装置により上位層シグナリングを介して設定された前記少なくとも２つのＤＭＲＳポート群を受信すること、又は
前記ネットワーク装置により下り制御情報（ＤＣＩ）を介して指示された複数のＤＭＲＳポート群のうちの前記少なくとも２つのＤＭＲＳポート群を受信することを含み、前記複数のＤＭＲＳポート群は、前記ネットワーク装置により上位層シグナリングを介して予め設定されたＤＭＲＳポート群である。
【０００７】
任意選択的に、第１態様の一実現形態において、ネットワーク装置により設定された少なくとも２つのＤＭＲＳポート群を受信することは、
前記ネットワーク装置により上位層シグナリング又はＤＣＩを介して指示された前記少なくとも２つのＤＭＲＳポート群の数を受信することと、
前記少なくとも２つのＤＭＲＳポート群の数及び第１プリセット条件に基づいて、前記少なくとも２つのＤＭＲＳポート群のうちの各ＤＭＲＳポート群に含まれるＤＭＲＳポートを確定することとを含み、ここで、前記第１プリセット条件は、前記ネットワーク装置と端末装置とによりあらかじめ約定された現在の伝送層数（Ｒａｎｋ）における各ＤＭＲＳポート群に含まれるＤＭＲＳポートである。
【０００８】
任意選択的に、第１態様の一実現形態において、前記少なくとも２つのＤＭＲＳポート群のうちの各ＤＭＲＳポート群に対応するターゲット参照信号リソースを確定することは、
前記ネットワーク装置から前記少なくとも２つのＤＭＲＳポート群におけるデータ伝送をスケジューリングするためのＤＣＩによって搬送されたリソース指示情報を受信することであって、前記リソース指示情報が、前記各ＤＭＲＳポート群に対応する前記ターゲット参照信号リソースを示すことに用いられることと、
前記リソース指示情報に基づいて、前記各ＤＭＲＳポート群に対応する前記ターゲット参照信号リソースを確定することとを含む。
【０００９】
任意選択的に、第１態様の一実現形態において、前記少なくとも２つのＤＭＲＳポート群のうちの各ＤＭＲＳポート群に対応するターゲット参照信号リソースを確定することは、
前記ネットワーク装置が上位層シグナリングにより前記少なくとも２つのＤＭＲＳポート群のうちの各ＤＭＲＳポート群のために設定したターゲット参照信号リソースを受信することを含む。
【００１０】
任意選択的に、第１態様の一実現形態において、前記ターゲット参照信号リソースに基づいて、前記ターゲット参照信号リソースに対応するＤＭＲＳポート群におけるデータ伝送に用いられる伝送パラメータを確定することは、
前記ネットワーク装置からプリコーディング行列指示情報を取得することと、
前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定することとを含む。
【００１１】
任意選択的に、第１態様の一実現形態において、前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースにおける参照信号の送信又は受信に用いられるビームを、前記ターゲット参照信号リソースに対応するＤＭＲＳポート群におけるデータ伝送に用いられるビームとして確定することを含む。
【００１２】
任意選択的に、第１態様の一実現形態において、前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースに対応する電力制御パラメータに基づいて、前記ターゲット参照信号リソースに対応するＤＭＲＳポート群におけるデータ伝送に用いられる送信電力を確定することを含む。
【００１３】
任意選択的に、第１態様の一実現形態において、前記ターゲット参照信号リソースに対応する電力制御パラメータに基づいて、前記ターゲット参照信号リソースに対応するＤＭＲＳポート群におけるデータ伝送に用いられる送信電力を確定することは、
第１電力制御パラメータに基づいて、前記ターゲット参照信号リソースに対応するＤＭＲＳポート群におけるデータ伝送に用いられる送信電力を確定することを含み、前記第１電力制御パラメータは、前記ターゲット参照信号リソースにおける参照信号の伝送に用いられる送信電力を算出するための電力制御パラメータである。
【００１４】
任意選択的に、第１態様の一実現形態において、前記ターゲット参照信号リソースに対応する電力制御パラメータに基づいて、前記ターゲット参照信号リソースに対応するＤＭＲＳポート群におけるデータ伝送に用いられる送信電力を確定することは、
第２電力制御パラメータに基づいて、前記ターゲット参照信号リソースに対応するＤＭＲＳポート群におけるデータ伝送に用いられる送信電力を確定することを含み、前記第２電力制御パラメータは、前記ネットワーク装置が事前設定した、前記ターゲット参照信号リソース又は前記ターゲット参照信号リソースの指示情報に対応する電力制御パラメータである。
【００１５】
任意選択的に、第１態様の一実現形態において、前記電力制御パラメータは、開ループ電力制御パラメータ、閉ループ電力制御パラメータ及び経路損失推定値のうちの少なくとも１つを含む。
【００１６】
任意選択的に、第１態様の一実現形態において、前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定することを含む。
【００１７】
任意選択的に、第１態様の一実現形態において、前記ターゲット参照信号リソースはサウンディング参照信号（ＳＲＳ）リソース又はチャネル状態情報参照信号（ＣＳＩ−ＲＳ）リソースである。
【００１８】
第２態様において、上記第１態様又は第１態様における任意選択的な実現形態の方法を実行するための端末装置を提供する。具体的には、前記端末装置は、上記第１態様又は第１態様における任意選択的な実現形態の方法を実行するためのユニットを備える。
【００１９】
第３態様において、メモリと、プロセッサと、入力インタフェースと、出力インタフェースとを備える端末装置を提供する。ここで、メモリ、プロセッサ、入力インタフェース及び出力インタフェースはバスシステムを介して接続される。前記メモリは命令を記憶するために用いられ、前記プロセッサは前記メモリに記憶されている命令を実行するために用いられ、上記第１態様又は第１態様における任意選択的な実現形態の方法を実行するために用いられる。
【００２０】
第４態様において、上記第１態様又は第１態様における任意選択的な実現形態の方法の実行に用いられるコンピュータソフトウェア命令を記憶するためのコンピュータ記憶媒体を提供し、前記媒体は、上記形態の実行のために設計されたプログラムを含む。
【００２１】
第５態様において、命令を含むコンピュータプログラム製品を提供する。前記製品がコンピュータ上で実行される時、コンピュータに、上記第１態様又は第１態様における任意選択的な実現形態の方法を実行させる。
【図面の簡単な説明】
【００２２】
【図１】は本発明の実施例による無線通信システムを示す概略図である。
【図２】は本発明の実施例によるデータを伝送する方法を示すフローチャートである。
【図３】は本発明の実施例による端末装置を示すブロック図である。
【図４】は本発明の実施例による端末装置を示すブロック図である。。
【発明を実施するための形態】
【００２３】
以下、本発明の実施例における図面を参照しつつ本発明の実施例における技術案を説明する。
【００２４】
本発明の実施例の解決手段は、例えばグローバルモバイル通信（Ｇｌｏｂａｌ  Ｓｙｓｔｅｍ  ｆｏｒ Ｍｏｂｉｌｅ  Ｃｏｍｍｕｎｉｃａｔｉｏｎｓ：「ＧＳＭ」と略称）システム、符号分割多元接続（Ｃｏｄｅ  Ｄｉｖｉｓｉｏｎ  Ｍｕｌｔｉｐｌｅ Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期的進化（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムといった種々の通信システムに適用されてもよい。
【００２５】
図１は、本発明の実施例に適用した無線通信システム１００を示す。前記無線通信システム１００は、ネットワーク装置１１０を備えてもよい。ネットワーク装置１００は端末装置と通信を行う装置であってもよい。ネットワーク装置１００は、特定の地理的エリアに対して通信カバレッジを提供し、且つ前記カバレッジ内に位置する端末装置（例えばＵＥ）と通信を行うことができる。任意選択的に、前記ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、前記ネットワーク装置は、中継局、アクセスポイント、車載装置、ウェアラブル装置、将来の５Ｇシステムにおけるネットワーク装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）における端末装置等であってもよい。
【００２６】
前記無線通信システム１００は、ネットワーク装置１１０のカバレッジ内に位置する少なくとも１つの端末装置１２０を更に備える。端末装置１２０は、移動型であっても固定型であってもよい。任意選択的に、端末装置１２０は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末、移動装置、ユーザ端末、端末、無線通信装置、ユーザ用エージェント又はユーザ装置であってもよい。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、将来の５Ｇシステムにおける端末装置又は将来の進化型ＰＬＭＮにおける端末装置等であってもよい。
【００２７】
任意選択的に、端末装置１２０同士は、端末間（Ｄｅｖｉｃｅ−ｔｏ−Ｄｅｖｉｃｅ：Ｄ２Ｄ）での通信を行うことができる。
【００２８】
任意選択的に、５Ｇシステム又はネットワークは、新しい無線（Ｎｅｗ  Ｒａｄｉｏ：ＮＲ）システム又はネットワークと呼ばれてもよい。
【００２９】
図１は、１つのネットワーク装置及び２つの端末装置を例示的に示す。任意選択的に、前記無線システム１００は、複数のネットワーク装置を備えてもよく、また各ネットワークのカバレッジに、他の数の端末装置が含まれてもよく、本発明の実施例はこれを限定するものではない。
【００３０】
無線通信システム１００において、端末装置は、上りデータ伝送に用いられる１つ又は複数のアンテナアレイパネルを備えてもよい。各アンテナアレイパネルは、独立した無線周波数チャネルを備える。１つの復調参照信号（Ｄｅｍｏｄｕｌａｔｉｏｎ  Ｒｅｆｅｒｅｎｃｅ  Ｓｉｇｎａｌ：「ＤＭＲＳ」と略称）ポート群は、１つのアンテナアレイパネルに対応する。端末装置は、１つのアンテナアレイパネルの伝送パラメータを確定してから、前記アンテナアレイパネルにおいて対応するＤＭＲＳポート群におけるデータを伝送できるようになる。
【００３１】
任意選択的に、前記無線通信システム１００は、ネットワークコントローラ、移動管理エンティティ等の他のネットワークエンティティを備えてもよく、本発明は、これを限定するものではない。
【００３２】
本明細書において、用語「システム」と「ネットワーク」とは、多くの場合に交換可能に使用されることが理解されるべきである。本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【００３３】
図２は本発明の実施例によるデータを伝送する方法２００を示すフローチャートである。図２に示すように、前記方法２００は以下を含む。
【００３４】
ステップ２１０において、端末装置は、ネットワーク装置により設定された少なくとも２つの復調参照信号（ＤＭＲＳ）ポート群を受信する。
【００３５】
１つのＤＭＲＳポート群は少なくとも１つのＤＭＲＳポートを含むことが理解されるべきである。
【００３６】
任意選択的に、ネットワーク装置は、ＤＭＲＳポートにおいて、例えば、上りリンク肯定応答シグナリング（Ｕｐ−Ｌｉｎｋ  Ａｃｋｎｏｗｌｅｄｇｅ：ＵＬ  ＡＣＫ）のような制御情報を送信することができる。
【００３７】
任意選択的に、端末装置は、ネットワーク装置により設定されたＤＭＲＳポート群を受信する時、そこから対応する制御情報を取得することができる。
【００３８】
具体的には、前記端末装置は、以下の３つの方式で前記ネットワーク装置により設定された前記少なくとも２つのＤＭＲＳポート群を受信することができる。
【００３９】
方式１：前記端末装置は、前記ネットワーク装置により上位層シグナリングを介して設定された前記少なくとも２つのＤＭＲＳポート群を受信する。
【００４０】
例えば、前記ネットワーク装置は、無線リソース制御（Ｒａｄｉｏ  Ｒｅｓｏｕｒｃｅ  Ｃｏｎｔｒｏｌ：ＲＲＣ）シグナリング又は媒体アクセス制御（Ｍｅｄｉａ  Ａｃｃｅｓｓ  Ｃｏｎｔｒｏｌ：ＭＡＣ）層シグナリングにより前記少なくとも２つのＤＭＲＳポート群を設定することができる。
【００４１】
具体的には、ネットワーク装置は、各伝送層数（Ｒａｎｋ）のために個別にＤＭＲＳポート群を設定することができる。例えば、ネットワーク装置は、上位層シグナリングによりＲａｎｋ＝２のために２つのＤＭＲＳポート群を設定することができる。１つ目のＤＭＲＳポート群はＤＭＲＳポート｛０｝を含み、2つ目のＤＭＲＳポート群は、ＤＭＲＳポート｛１｝を含む。また、例えば、ネットワーク装置は、上位層シグナリングによりＲａｎｋ＝４のために２つのＤＭＲＳポート群を設定することができる。１つ目のポート群はＤＭＲＳポート｛０，２｝を含み、2つ目のＤＭＲＳポート群は、ＤＭＲＳポート｛１，３｝を含む。端末は、Ｒａｎｋのみに基づいて現在のＤＭＲＳポート群を確定することができる。
【００４２】
方式２：前記端末装置は、前記ネットワーク装置が下り制御情報（Ｄｏｗｎｌｉｎｋ  Ｃｏｎｔｒｏｌ  Ｉｎｆｏｒｍａｔｉｏｎ：ＤＣＩ）により指示した複数のＤＭＲＳポート群のうちの前記少なくとも２つのＤＭＲＳポート群を受信する。前記複数のＤＭＲＳポート群は、ネットワーク装置により上位層シグナリングを介して予め設定されたＤＭＲＳポート群である。
【００４３】
任意選択的に、前記ＤＣＩ情報は、前記少なくとも２つのＤＭＲＳポート群におけるデータ伝送をスケジューリングするために用いられる。
【００４４】
任意選択的に、前記ＤＣＩ情報で搬送した指示情報により、前記複数のＤＭＲＳポート群のうちの前記少なくとも２つのＤＭＲＳポート群を指示する。前記指示情報は、例えば、ランク指示（Ｒａｎｋ  Ｉｎｄｉｃａｔｉｏｎ：ＲＩ）情報である。
【００４５】
例えば、ネットワーク装置は、上位層シグナリングにより４つのＤＭＲＳポート群｛０｝｛１｝｛０，１｝｛２，３｝を予め設定し、ＲＩにより、現在使用中の２つのＤＭＲＳポート群｛０，１｝｛２，３｝を指示する。
【００４６】
任意選択的に、ビットマップファイル（ｂｉｔｍａｐ）に基づいてＤＭＲＳポート群を指示することができる。例えば、端末装置が最大２つのＤＭＲＳポート群をサポートし、ＤＭＲＳポート総数がＮ（Ｎ≧２）であると、ｂｉｔｍａｐの方式で各ＤＭＲＳポート群に含まれるＤＭＲＳポートを指示することができる。ここで、１つ目のＤＭＲＳポート群はｂｉｔｍａｐシーケンスにおける識別子が０であるポートを含み、２つ目のＤＭＲＳポート群は、ｂｉｔｍａｐシーケンスにおける識別子が１であるポートを含む。端末による上り伝送が最大４つのＤＭＲＳポートをサポートするとすれば、４ビットの情報で２つのＤＭＲＳポート群に含まれるＤＭＲＳポートを指示することができる。例えば、００００は、現在、１つ目のＤＭＲＳポート群のみを用いることを表し、００１１は、２つのＤＭＲＳポート群のうちの各ＤＭＲＳポート群が２つのＤＭＲＳポートを含むことを表す。
【００４７】
方式３：前記端末装置は、前記ネットワーク装置が上位層シグナリング又はＤＣＩにより指示した前記少なくとも２つのＤＭＲＳポート群の数を受信する。
【００４８】
前記少なくとも２つのＤＭＲＳポート群の数及び第１プリセット条件に基づいて、前記少なくとも２つのＤＭＲＳポート群のうちの各ＤＭＲＳポート群に含まれるＤＭＲＳポートを確定する。ここで、前記第１プリセット条件は、前記ネットワーク装置と端末装置とによりあらかじめ約定された現在のＲａｎｋにおける各ＤＭＲＳポート群に含まれるＤＭＲＳポートである。
【００４９】
任意選択的に、前記少なくとも２つのＤＭＲＳポート群の数を知った後、端末装置は、前記第１プリセット条件に基づいてＤＭＲＳポートの総数を確定することができる。
【００５０】
例えば、ＤＭＲＳポート群の数が１であれば、前記ＤＭＲＳポート群は現在の全てのＤＭＲＳポートを含む。ＤＭＲＳポート群の数が２であって、現在のＤＭＲＳポートの総数がＬ（Ｌ≧２）であれば、１つ目のＤＭＲＳポート群は最初のＬ／２（端数を切り捨てる）個のＤＭＲＳポートを含み、２つ目のＤＭＲＳポート群は他のＤＭＲＳポートを含む。ネットワーク装置は上位層シグナリング又はＤＣＩにより、現在のＤＭＲＳポート群の数が１であるか又は２であるかを通知すると、端末は、現在のＤＭＲＳポートのグループ分けを了解できる。
【００５１】
ステップ２２０において、前記端末装置は、前記少なくとも２つのＤＭＲＳポート群のうちの各ＤＭＲＳポート群に対応するターゲット参照信号リソースを確定する。
【００５２】
任意選択的に、前記ターゲット参照信号リソースはサウンディング参照信号（Ｓｏｕｎｄｉｎｇ  Ｒｅｆｅｒｅｎｃｅ  Ｓｉｇｎａｌ：ＳＲＳ）リソース又はチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：ＣＳＩ−ＲＳ）リソースである。
【００５３】
前記ターゲット参照信号リソースにアンテナポート数が含まれることが理解されるべきである。
【００５４】
具体的には、前記端末装置は、以下の２つの方式で前記少なくとも２つのＤＭＲＳポート群のうちの各ＤＭＲＳポート群に対応するターゲット参照信号リソースを確定することができる。
【００５５】
方式１：前記端末装置は、前記ネットワーク装置から前記少なくとも２つのＤＭＲＳポート群におけるデータ伝送をスケジューリングするためのＤＣＩによって搬送されたリソース指示情報を受信し、前記リソース指示情報が、前記各ＤＭＲＳポート群に対応する前記ターゲット参照信号リソースを示すことに用いられる。
【００５６】
前記リソース指示情報に基づいて、前記各ＤＭＲＳポート群に対応する前記ターゲット参照信号リソースを確定する。
【００５７】
任意選択的に、前記リソース指示情報はＳＲＳリソース指示情報（ＳＲＳ  Ｒｅｓｏｕｒｃｅ  Ｉｎｄｉｃａｔｏｒ：ＳＲＩ）であってもよいし、ＣＳＩ−ＲＳリソース指示情報（ＣＳＩ−ＲＳ  Ｒｅｓｏｕｒｃｅ  Ｉｎｄｉｃａｔｏｒ：ＣＲＩ）であってもよい。
【００５８】
例えば、端末装置が最大２つのＤＭＲＳポート群をサポートするとすれば、前記ＤＣＩに２つのＳＲＩドメインが含まれ、前記２つのＳＲＩドメインはそれぞれ２つのＤＭＲＳポート群に対応する。端末において１つのみのＤＭＲＳポート群が設定されていると、別のＤＭＲＳポート群に対応するＳＲＩドメインはデフォルト値（例えば０）として設定されてもよいし、他の情報の指示に用いられてもよい。ＣＳＩ−ＲＳリソース指示情報は同様である。
【００５９】
方式２：前記端末装置は、前記ネットワーク装置が上位層シグナリングにより前記少なくとも２つのＤＭＲＳポート群のうちの各ＤＭＲＳポート群のために設定したターゲット参照信号リソースを受信する。
【００６０】
具体的には、前記ネットワーク装置は、上位層シグナリングにより前記少なくとも２つのＤＭＲＳポート群を設定すると同時に、前記少なくとも２つのＤＭＲＳポート群に対応する前記ターゲット参照信号リソースを設定することができる。
【００６１】
例えば、ネットワーク装置は、各ＤＭＲＳポート群のために１つのＳＲＩを設定することができる。ネットワーク装置が、上位層シグナリングにより複数のＤＭＲＳポート群を予め設定し、更にDCIにより現在のデータ伝送に用いられるＤＭＲＳポート群を指示するとすれば、端末装置は、現在のデータ伝送中の各ＤＭＲＳポート群に対応するＳＲＩに基づいて、ＳＲＩに対応するＤＭＲＳポート群のターゲット参照信号リソースを確定することができる。
【００６２】
ステップ２３０において、前記端末装置は、前記ターゲット参照信号リソースに基づいて、前記ターゲット参照信号リソースに対応するＤＭＲＳポート群におけるデータ伝送に用いられる伝送パラメータを確定する。
【００６３】
任意選択的に、伝送パラメータは、ビーム、プリコーディング行列、送信電力及びアンテナアレイパネル等であってもよい。
【００６４】
任意選択的に、前記端末装置は以下の４つの方式で前記ターゲット参照信号リソースに対応するＤＭＲＳポート群におけるデータ伝送に用いられる伝送パラメータを確定することができる。
【００６５】
方式１：前記端末装置は、前記ネットワーク装置からプリコーディング行列指示情報を取得する。前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定する。
【００６６】
任意選択的に、前記ネットワーク装置と前記端末装置とで、前記プリコーディング行列と前記アンテナポート数及び前記プリコーディング行列指示情報との対応関係を予め約定する。
【００６７】
従って、異なるＤＭＲＳポート群に対応するターゲット参照信号リソースは異なってもよく、異なるターゲット参照信号リソース内のアンテナポート数は異なってもよい。従って、異なるＤＭＲＳポート群におけるデータ伝送は異なるプリコーディング行列を用いることができ、更に、対応するデータを伝送するｐａｎｅｌのチャネル情報とマッチングする。
【００６８】
方式２：前記端末装置は、前記ターゲット参照信号リソースにおける参照信号の送信又は受信に用いられるビームを、前記ターゲット参照信号リソースに対応するＤＭＲＳポート群におけるデータ伝送に用いられるビームとして確定する。
【００６９】
例えば、端末装置は、前記ターゲット参照信号リソースにおけるＳＲＳ伝送に用いられるビームをデータ伝送用送信ビームとする。又は、端末装置は、ターゲット参照信号リソースにおけるＣＳＩ−ＲＳ受信に用いられるビームをデータ伝送用送信ビームとする。
【００７０】
従って、異なるＤＭＲＳポート群に対応するターゲット参照信号リソースは異なってもよく、異なるターゲット参照信号リソースにおける参照信号の送信又は受信に用いられるビームは異なる。従って、異なるＤＭＲＳポート群におけるデータ伝送は異なるビームを用いることができ、更に、対応するデータを伝送するｐａｎｅｌのチャネル情報とマッチングする。
【００７１】
方式３：前記端末装置は、前記ターゲット参照信号リソースに対応する電力制御パラメータに基づいて、前記ターゲット参照信号リソースに対応するＤＭＲＳポート群におけるデータ伝送に用いられる送信電力を確定する。
【００７２】
任意選択的に、前記ターゲット参照信号リソースに対応する電力制御パラメータに基づいて、前記ターゲット参照信号リソースに対応するＤＭＲＳポート群におけるデータ伝送に用いられる送信電力を確定することは、
第１電力制御パラメータに基づいて、前記ターゲット参照信号リソースに対応するＤＭＲＳポート群におけるデータ伝送に用いられる送信電力を確定することを含み、前記第１電力制御パラメータは、前記ターゲット参照信号リソースにおける参照信号の伝送に用いられる送信電力を算出するための電力制御パラメータである。
【００７３】
任意選択的に、この場合、前記ターゲット参照信号リソースはＳＲＳリソースであってもよい。
【００７４】
具体的には、前記ターゲット参照信号リソースにおける参照信号の伝送に用いられる送信電力を、前記ターゲット参照信号リソースに対応するＤＭＲＳポート群におけるデータ伝送に用いられる送信電力と確定することができる。
【００７５】
例えば、端末装置は、第１電力制御パラメータに基づいて、ターゲットＳＲＳリソースにおけるＳＲＳ伝送に用いられる送信電力を確定し、前記第１電力制御パラメータを、ターゲットＳＲＳリソースに対応するＤＭＲＳポート群におけるデータの送信電力の確定に用いることができる。ここで、異なるＳＲＳリソースは、異なる第１電力制御パラメータを用いることができる。典型的には、ここの第１電力制御パラメータは、上り経路損失推定値を含んでもよいし、経路損失推定値及び開ループ電力制御パラメータを含んでもよい。
【００７６】
任意選択的に、前記ターゲット参照信号リソースに対応する電力制御パラメータに基づいて、前記ターゲット参照信号リソースに対応するＤＭＲＳポート群におけるデータ伝送に用いられる送信電力を確定することは、
第２電力制御パラメータに基づいて、前記ターゲット参照信号リソースに対応するＤＭＲＳポート群におけるデータ伝送に用いられる送信電力を確定することを含み、前記第２電力制御パラメータは、前記ネットワーク装置が事前設定した、前記ターゲット参照信号リソース又は前記ターゲット参照信号リソースの指示情報に対応する電力制御パラメータである。
【００７７】
具体的には、前記第２電力制御パラメータに基づいて、前記ターゲット参照信号リソースに対応するＤＭＲＳポート群におけるデータ伝送に用いられる送信電力を直接的に確定することができる。
【００７８】
例えば、ネットワーク装置は、端末装置の各ＳＲＳリソースのために一組の対応する電力制御パラメータを設定し、更に現在のターゲットＳＲＳリソースに基づいて、対応する一組の第２電力制御パラメータを確定することができる。前記第２電力制御パラメータに基づいて、ターゲットＳＲＳリソースに対応するＤＭＲＳポート群におけるデータの送信電力を確定する。ここで、異なるＳＲＳリソースは、異なる第２電力制御パラメータに対応してもよい。典型的には、ここの第２電力制御パラメータは、上り経路損失推定値を含んでもよいし、経路損失推定値及び開ループ電力制御パラメータを含んでもよい。
【００７９】
任意選択的に、前記電力制御パラメータは、開ループ電力制御パラメータ、閉ループ電力制御パラメータ及び経路損失推定値のうちの少なくとも１つを含む。
【００８０】
従って、異なるＤＭＲＳポート群に対応するターゲット参照信号リソースは異なってもよく、異なるターゲット参照信号リソースに対応する電力制御パラメータは異なる。従って、異なるＤＭＲＳポート群におけるデータ伝送は異なる送信電力を用いることができ、更に、対応するデータを伝送するビーム（ｂｅａｍ）又はアンテナアレイパネル（ｐａｎｅｌ）のチャネル情報とマッチングする。
【００８１】
方式４：前記端末装置は、前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定する。
【００８２】
従って、異なるＤＭＲＳポート群に対応するターゲット参照信号リソースは異なってもよく、異なるターゲット参照信号リソースにおける参照信号の送信又は受信に用いられるアンテナアレイパネルは異なる。従って、異なるＤＭＲＳポート群におけるデータ伝送は異なるアンテナアレイパネルを用いることができ、更に、端末装置の複数のアンテナアレイパネルを充分に利用してデータ伝送し、端末装置の上り伝送特性を向上させることができる。
【００８３】
上記方法において、ターゲット参照信号リソースがＳＲＳリソースであれば、対応する参照信号はＳＲＳである。ターゲット参照信号リソースがＣＳＩ−ＲＳリソースであれば、対応する参照信号は、ＣＳＩ−ＲＳである。
【００８４】
任意選択的に、端末装置は、ステップ２３０における上記方式１、方式２、方式３及び方式４のうちの少なくとも１つの方式で、前記ターゲット参照信号リソースに対応するＤＭＲＳポート群におけるデータ伝送に用いられる伝送パラメータを確定することができる。
【００８５】
ステップ２４０において、前記端末装置は、前記各ＤＭＲＳポート群におけるデータ伝送に用いられる伝送パラメータを確定してから、前記少なくとも２つのＤＭＲＳポート群においてデータ伝送を行う。
【００８６】
従って、本発明の実施例によるデータを伝送する方法において、ネットワーク装置は、端末装置のために少なくとも２つのＤＭＲＳポート群を設定し、端末装置は、各ＤＭＲＳポート群に対応するターゲット参照信号リソースを確定し、また、ターゲット参照信号リソースに基づいて対応するＤＭＲＳポート群におけるデータ伝送に用いられる伝送パラメータを確定することで、各ＤＭＲＳポート群におけるデータ伝送に用いられる伝送パラメータに基づいて、対応するＤＭＲＳポート群におけるデータを伝送することができ、更に、複数のアンテナアレイパネルによる上り伝送を実現させ、上り伝送レートを高めることができる。
【００８７】
図３は本発明の実施例による端末装置３００を示すブロック図である。図３に示すように、前記端末装置３００は、
ネットワーク装置により設定された少なくとも２つの復調参照信号（ＤＭＲＳ）ポート群を受信するように構成される受信ユニット３１０と、
前記少なくとも２つの復調参照信号（ＤＭＲＳ）ポート群のうちの各ＤＭＲＳポート群に対応するターゲット参照信号リソースを確定するように構成され、前記ターゲット参照信号リソースに基づいて、前記ターゲット参照信号リソースに対応するＤＭＲＳポート群におけるデータ伝送に用いられる伝送パラメータを確定するようにさらに構成される処理ユニット３２０と、
前記処理ユニットが前記各ＤＭＲＳポート群におけるデータ伝送に用いられる伝送パラメータを確定してから、前記少なくとも２つのＤＭＲＳポート群においてデータ伝送を行うように構成される送信ユニット３３０とを備える。
【００８８】
任意選択的に、前記受信ユニット３１０は、具体的には、
前記ネットワーク装置により上位層シグナリングを介して設定された前記少なくとも２つのＤＭＲＳポート群を受信し、又は
前記ネットワーク装置により下り制御情報（ＤＣＩ）を介して指示された複数のＤＭＲＳポート群のうちの前記少なくとも２つのＤＭＲＳポート群を受信するように構成され、前記複数のＤＭＲＳポート群は、前記ネットワーク装置により上位層シグナリングを介して予め設定されたＤＭＲＳポート群である。
【００８９】
任意選択的に、前記受信ユニット３１０は、具体的には、
前記ネットワーク装置により上位層シグナリング又はＤＣＩを介して指示された前記少なくとも２つのＤＭＲＳポート群の数を受信し、
前記少なくとも２つのＤＭＲＳポート群の数及び第１プリセット条件に基づいて、前記少なくとも２つのＤＭＲＳポート群のうちの各ＤＭＲＳポート群に含まれるＤＭＲＳポートを確定するように構成され、ここで、前記第１プリセット条件は、前記ネットワーク装置と端末装置とによりあらかじめ約定された現在の伝送層数（Ｒａｎｋ）における各ＤＭＲＳポート群に含まれるＤＭＲＳポートである。
【００９０】
任意選択的に、前記処理ユニット３２０は、具体的には、
前記ネットワーク装置から前記少なくとも２つのＤＭＲＳポート群におけるデータ伝送をスケジューリングするためのＤＣＩによって搬送されたリソース指示情報を受信し、前記リソース指示情報が、前記各ＤＭＲＳポート群に対応する前記ターゲット参照信号リソースを示すことに用いられ、
前記リソース指示情報に基づいて、前記各ＤＭＲＳポート群に対応する前記ターゲット参照信号リソースを確定するように構成される。
【００９１】
任意選択的に、前記処理ユニット３２０は、具体的には、
前記ネットワーク装置が上位層シグナリングにより前記少なくとも２つのＤＭＲＳポート群のうちの各ＤＭＲＳポート群のために設定したターゲット参照信号リソースを受信するように構成される。
【００９２】
任意選択的に、前記処理ユニット３２０は、具体的には、
前記ネットワーク装置からプリコーディング行列指示情報を取得し、
前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定するように構成される。
【００９３】
任意選択的に、前記処理ユニット３２０は、具体的には、
前記ターゲット参照信号リソースにおける参照信号の送信又は受信に用いられるビームを、前記ターゲット参照信号リソースに対応するＤＭＲＳポート群におけるデータ伝送に用いられるビームとして確定するように構成される。
【００９４】
任意選択的に、前記処理ユニット３２０は、具体的には、
前記ターゲット参照信号リソースに対応する電力制御パラメータに基づいて、前記ターゲット参照信号リソースに対応するＤＭＲＳポート群におけるデータ伝送に用いられる送信電力を確定するように構成される。
【００９５】
任意選択的に、前記処理ユニット３２０は、具体的には、
第１電力制御パラメータに基づいて、前記ターゲット参照信号リソースに対応するＤＭＲＳポート群におけるデータ伝送に用いられる送信電力を確定するように構成され、前記第１電力制御パラメータは、前記ターゲット参照信号リソースにおける参照信号の伝送に用いられる送信電力を算出するための電力制御パラメータである。
【００９６】
任意選択的に、前記処理ユニット３２０は、具体的には、
第２電力制御パラメータに基づいて、前記ターゲット参照信号リソースに対応するＤＭＲＳポート群におけるデータ伝送に用いられる送信電力を確定するように構成され、前記第２電力制御パラメータは、前記ネットワーク装置が事前設定した、前記ターゲット参照信号リソース又は前記ターゲット参照信号リソースの指示情報に対応する電力制御パラメータである。
【００９７】
任意選択的に、前記電力制御パラメータは、開ループ電力制御パラメータ、閉ループ電力制御パラメータ及び経路損失推定値のうちの少なくとも１つを含む。
【００９８】
任意選択的に、前記処理ユニット３２０は、具体的には、
前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定するように構成される。
【００９９】
任意選択的に、前記ターゲット参照信号リソースはサウンディング参照信号（ＳＲＳ）リソース又はチャネル状態情報参照信号（ＣＳＩ−ＲＳ）リソースである。
【０１００】
本発明の実施例による端末装置３００は、本発明の実施例における端末装置に対応してもよく、且つネットワーク装置３００における各ユニットの上記及び他の操作及び／又は機能はそれぞれ図２に示した方法２００における端末装置に対応するプロセスを実現するためのものであり、簡素化を図るために、ここで詳しく説明しないようにする。
【０１０１】
図４に示すように、本発明の実施例は端末装置４００を更に提供する。前記端末装置４００は図３に示した端末装置３００であってもよく、それは、図２に示した方法２００に対応する端末装置のプロセスの実行に用いられる。前記端末装置４００は、入力インタフェース４１０と、出力インタフェース４２０と、プロセッサ４３０と、メモリ４４０と、を備える。前記入力インタフェース４１０、出力インタフェース４２０、プロセッサ４３０及びメモリ４４０は内部通信接続回線を介して接続される。前記メモリ４４０は、プログラム、命令又はコードを記憶するために用いられる。前記プロセッサ４３０は、前記メモリ４４０におけるプログラム、命令又はコードを実行し、入力インタフェース４１０による信号受信、出力インタフェース４２０による信号送信を制御し、前記方法の実施例における操作を完成するために用いられる。
【０１０２】
理解すべき点として、本発明の実施例において、前記プロセッサ４３０は、中央処理装置（Ｃｅｎｔｒａｌ  Ｐｒｏｃｅｓｓｉｎｇ  Ｕｎｉｔ：「ＣＰＵ」と略称）であってもよく、前記プロセッサ４３０はまた、他の汎用プロセッサ、デジタル信号プロセッサ（ＤＳＰ）、特定用途向け集積回路（ＡＳＩＣ）、現場でプログラム可能なゲートアレイ（ＦＰＧＡ）又は他のプログラマブルロジックデバイス、ディスクリートゲート又はトランジスタロジックデバイス、ディスクリートハードウェアコンポーネント等であってもよい。汎用プロセッサはマイクロプロセッサであってもよいし、前記プロセッサは如何なる従来のプロセッサ等であってもよい。
【０１０３】
前記メモリ４４０は読み取り専用メモリ及びランダムアクセスメモリを含み、プロセッサ４３０に命令及びデータを提供する。メモリ４４０の一部は、不揮発性ランダムアクセスメモリを更に含んでもよく。例えば、メモリ４４０は機器タイプに関する情報を記憶することもできる。
【０１０４】
上記方法の各プロセスは、実現する過程において、プロセッサ４３０におけるハードウェアの集積論理回路又はソフトウェアの形の命令により完成することができる。本発明の実施例に開示されている方法のプロセスに合わせて、ハードウェアプロセッサによって完成し、又はプロセッサにおけるハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。前記記憶媒体はメモリ４４０内に位置し、プロセッサ４３０はメモリ４４０中の情報を読み取り、そのハードウェアと共に上記方法のプロセスを完了する。説明の繰り返しを避けるために、ここで詳しく説明しないようにする。
【０１０５】
具体的な実施形態において、図３に示した受信ユニット３１０は、図４に示した入力インタフェース４１０により実現することができる。図３に示した送信ユニット３３０は、図４に示した出力インタフェース４２０により実現することができる。図３に示した処理ユニット３２０は、図４に示したプロセッサ４３０により実現することができる。
【０１０６】
当業者であれば、本明細書に開示されている実施例に関係して記載された種々の例示的なユニット及びアルゴリズムステップは、電子ハードウエア、又はコンピュータソフトウエアと電子ハードウエアとの組み合わせとして実現されることが十分理解され得る。ハードウェアとソフトウェアとのどちらで、これらの機能を実行するかは、技術案の特定の応用及び設計上の制限条件により決められる。当業者は、特定の用途毎に記載の機能を実現するために異なる方法を使用してもよいが、この実現が本発明の範囲を超えるものとして考えられるべきではない。
【０１０７】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１０８】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１０９】
分離部材として説明した前記ユニットは、物理的に別個のものであっても  よいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１１０】
また、本発明の各実施例における各機能ユニットは一つの処理ユニットに集積されてもよいし、各ユニットが物理的に別個のものとして存在してもよいし、２つ以上のユニットが一つのユニットに集積されてもよい。
【０１１１】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術案は、本質的に、又は、従来技術に対して貢献をもたらした部分又は前記技術案の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（Ｒｅａｄ-ｏｎｌｙ Ｍｅｍｏｒｙ：ＲＯＭ）、ランダムアクセスメモリ（Ｒａｎｄｏｍ Ａｃｃｅｓｓ Ｍｅｍｏｒｙ：ＲＡＭ）、ディスク、又は光ディスクなど、プログラムコードを記憶可能な各種の媒体を含む。
【０１１２】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2020533826.tif 000003
【図２】
2020533826.tif 000004
【図３】
2020533826.tif 000005
【図４】
2020533826.tif 000006
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
データを伝送する方法であって、
ネットワーク装置により設定された少なくとも２つの復調参照信号（ＤＭＲＳ）ポート群を受信することと、
前記少なくとも２つの復調参照信号（ＤＭＲＳ）ポート群のうちの各ＤＭＲＳポート群に対応するターゲット参照信号リソースを確定することと、
前記ターゲット参照信号リソースに基づいて、前記ターゲット参照信号リソースに対応するＤＭＲＳポート群におけるデータ伝送に用いられる伝送パラメータを確定することと、
前記各ＤＭＲＳポート群におけるデータ伝送に用いられる伝送パラメータを確定してから、前記少なくとも２つのＤＭＲＳポート群においてデータ伝送を行うこととを含むことを特徴とする、前記方法。
【請求項２】
前記少なくとも２つのＤＭＲＳポート群のうちの各ＤＭＲＳポート群に対応するターゲット参照信号リソースを確定することは、
前記ネットワーク装置から前記少なくとも２つのＤＭＲＳポート群におけるデータ伝送をスケジューリングするためのＤＣＩによって搬送されたリソース指示情報を受信することであって、前記リソース指示情報が、前記各ＤＭＲＳポート群に対応する前記ターゲット参照信号リソースを示すことに用いられることと、
前記リソース指示情報に基づいて、前記各ＤＭＲＳポート群に対応する前記ターゲット参照信号リソースを確定することとを含むことを特徴とする
請求項１に記載の方法。
【請求項３】
前記ターゲット参照信号リソースに基づいて、前記ターゲット参照信号リソースに対応するＤＭＲＳポート群におけるデータ伝送に用いられる伝送パラメータを確定することは、
前記ネットワーク装置からプリコーディング行列指示情報を取得することと、
前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定することとを含むことを特徴とする
請求項１又は２に記載の方法。
【請求項４】
前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースにおける参照信号の送信又は受信に用いられるビームを、前記ターゲット参照信号リソースに対応するＤＭＲＳポート群におけるデータ伝送に用いられるビームとして確定することを含むことを特徴とする
請求項１から３のうちいずれか一項に記載の方法。
【請求項５】
前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースに対応する電力制御パラメータに基づいて、前記ターゲット参照信号リソースに対応するＤＭＲＳポート群におけるデータ伝送に用いられる送信電力を確定することを含むことを特徴とする
請求項１から４のうちいずれか一項に記載の方法。
【請求項６】
前記ターゲット参照信号リソースに対応する電力制御パラメータに基づいて、前記ターゲット参照信号リソースに対応するＤＭＲＳポート群におけるデータ伝送に用いられる送信電力を確定することは、
第２電力制御パラメータに基づいて、前記ターゲット参照信号リソースに対応するＤＭＲＳポート群におけるデータ伝送に用いられる送信電力を確定することを含み、前記第２電力制御パラメータは、前記ネットワーク装置が事前設定した、前記ターゲット参照信号リソース又は前記ターゲット参照信号リソースの指示情報に対応する電力制御パラメータであることを特徴とする
請求項５に記載の方法。
【請求項７】
前記ターゲット参照信号リソースに基づいて、前記ターゲット参照信号リソースに対応するＤＭＲＳポート群におけるデータ伝送に用いられる伝送パラメータを確定することは、
前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定することを含むことを特徴とする
請求項１から６のうちいずれか一項に記載の方法。
【請求項８】
端末装置であって、
ネットワーク装置により設定された少なくとも２つの復調参照信号（ＤＭＲＳ）ポート群を受信するように構成される受信ユニットと、
前記少なくとも２つのＤＭＲＳポート群のうちの各ＤＭＲＳポート群に対応するターゲット参照信号リソースを確定するように構成され、
前記ターゲット参照信号リソースに基づいて、前記ターゲット参照信号リソースに対応するＤＭＲＳポート群におけるデータ伝送に用いられる伝送パラメータを確定するようにさらに構成される処理ユニットと、
前記処理ユニットが前記各ＤＭＲＳポート群におけるデータ伝送に用いられる伝送パラメータを確定してから、前記少なくとも２つのＤＭＲＳポート群においてデータ伝送を行うように構成される送信ユニットとを備えることを特徴とする、前記端末装置。
【請求項９】
前記処理ユニットは、具体的には、
前記ネットワーク装置から前記少なくとも２つのＤＭＲＳポート群におけるデータ伝送をスケジューリングするためのＤＣＩによって搬送されたリソース指示情報を受信し、前記リソース指示情報が、前記各ＤＭＲＳポート群に対応する前記ターゲット参照信号リソースを示すことに用いられ、
前記リソース指示情報に基づいて、前記各ＤＭＲＳポート群に対応する前記ターゲット参照信号リソースを確定するように構成されることを特徴とする
請求項８に記載の端末装置。
【請求項１０】
前記処理ユニットは、具体的には、
前記ネットワーク装置からプリコーディング行列指示情報を取得し、
前記ターゲット参照信号リソース内のアンテナポート数及び前記プリコーディング行列指示情報に基づいて、前記ターゲット参照信号リソースに対応するＤＭＲＳポート群におけるデータ伝送に用いられるプリコーディング行列を確定するように構成されることを特徴とする
請求項８又は９に記載の端末装置。
【請求項１１】
前記処理ユニットは、具体的には、
前記ターゲット参照信号リソースにおける参照信号の送信又は受信に用いられるビームを、前記ターゲット参照信号リソースに対応するＤＭＲＳポート群におけるデータ伝送に用いられるビームとして確定するように構成されることを特徴とする
請求項８から１０のうちいずれか一項に記載の端末装置。
【請求項１２】
前記処理ユニットは、具体的には、
前記ターゲット参照信号リソースに対応する電力制御パラメータに基づいて、前記ターゲット参照信号リソースに対応するＤＭＲＳポート群におけるデータ伝送に用いられる送信電力を確定するように構成されることを特徴とする
請求項８から１１のうちいずれか一項に記載の端末装置。
【請求項１３】
前記処理ユニットは、具体的には、
第２電力制御パラメータに基づいて、前記ターゲット参照信号リソースに対応するＤＭＲＳポート群におけるデータ伝送に用いられる送信電力を確定するように構成され、前記第２電力制御パラメータは、前記ネットワーク装置が事前設定した、前記ターゲット参照信号リソース又は前記ターゲット参照信号リソースの指示情報に対応する電力制御パラメータであることを特徴とする
請求項１２に記載の端末装置。
【請求項１４】
前記処理ユニットは、具体的には、
前記ターゲット参照信号リソースにおける参照信号の送信又は受信に用いられるアンテナアレイパネルを、前記ターゲット参照信号リソースに対応するＤＭＲＳポート群におけるデータ伝送に用いられるアンテナアレイパネルとして確定するように構成されることを特徴とする
請求項８から１３のうちいずれか一項に記載の端末装置。
【請求項１５】
前記ターゲット参照信号リソースはサウンディング参照信号（ＳＲＳ）リソース又はチャネル状態情報参照信号（ＣＳＩ−ＲＳ）リソースであることを特徴とする
請求項８から１４のうちいずれか一項に記載の端末装置。
【国際調査報告】
2020533826.tif 000007
2020533826.tif 000008
2020533826.tif 000009
2020533826.tif 000010